(57)【特許請求の範囲】
【請求項１】
天井裏３０に配設されるダクト３１が接続される筒体１４と、
周壁１ａに孔４を有する箱体１内に送風機２、ヒーター３等を内蔵した本体６と、
天井パネル３２の開口部３３に挿入可能で前記本体６が挿入可能な大きさで、周壁１１に筒体取付用開口部１３を有する本体取付枠１０と、
前記筒体１４に設けられ、当該筒体１４を本体取付枠１０に取付ける取付板１５とを備え、
該取付板１５と前記本体取付枠１０の周壁１１に、両者を相対的に移動することで係合する係合部１６と被係合部１７を、その係合部１６と被係合部１７が係合することで取付板１５が筒体取付用開口部１３を閉塞するように仮取付けられるように設け、
前記本体取付枠１０に本体６を挿入して固定することで前記孔４に筒体１４が連通するように組立てられた浴室換気乾燥機。
【請求項２】
前記係合部１６は前記取付板１５を切り起こしたフック２２であり、前記被係合部１７は、取付用枠体１０に形成された前記フック２２が係合するスリットであることを特徴とする請求項１記載の浴室換気乾燥機。
【発明の詳細な説明】
【０００１】
【発明の属する技術分野】
本発明は、浴室の天井パネルに取付ける浴室換気乾燥機に関する。
【０００２】
【従来の技術】
浴室換気乾燥機としては、箱体内に送風機、ヒータ等を設け、その箱体に排気用筒体を取付けたものが一般的であり、箱体を浴室の天井パネルに形成した開口部より天井裏に突出し、その箱体を開口部周縁に固着して取付けられ、天井裏に配設した排気用ダクトと排気用筒体を接続している。
【０００３】
また、浴室換気乾燥機としては、箱体に吸気用筒体を取付け、この吸気用筒体と吸気用ダクトを接続して浴室以外の部屋の空気を屋外に排出して換気する多室換気機能を有する浴室換気乾燥機が知られている。
【０００４】
前述のように、箱体の外面よりも排気用筒体が突出しているので、天井パネルの開口部に挿入する際に排気用筒体が邪魔になって挿入し難いし、天井裏に人が入って排気用ダクトと排気用筒体を接続するので、天井パネル取付後で排気用ダクト配設後に浴室換気乾燥機を取付ける作業が大変困難である。
【０００５】
前述の多室換気機能を有する浴室換気乾燥機は排気用筒体の外に吸気用筒体を備えているから、天井パネル取付後で排気用ダクト配設後に取付ける作業がより一層困難であり、場合によっては開口部に挿入できずに取付けできないことがある。
【０００６】
一方、実公昭６１−４１６７号公報に示す換気装置が提案されている。この換気装置は排気用筒体を備えた取付用部材を天井パネルの開口部に取付け、箱体に送風機を設けた本体の支軸部を取付用部材の受け片に係止して上方に回動して本体を天井パネルと取付用部材を接して固着するものである。
【０００７】
【発明が解決しようとする課題】
前述の換気装置は、取付用部材を天井パネルに取付けながら排気用筒体と排気用ダクトを接続するから、その作業がやりずらい。送風機を設けた大重量の本体を持ち上げて支軸部を受け片に係合し、上方に回動するので、その本体の取付け作業がやりずらい。これらが相俟って取付け作業が大変やりずらい。
【０００８】
また、本体を上方に回動して取付用部材に接するように取付けるので、排気用筒体のみであれば問題がないが、多室換気乾燥機を有する浴室換気乾燥機では吸気用筒体を備えているので、前述のようにして取付けできない。
【０００９】
そこで、本発明は前述の課題を解決できるようにした浴室換気乾燥機を提供することを目的とする。
【００１０】
【課題を解決するための手段】
第１の発明は、天井裏３０に配設されるダクト３１が接続される筒体１４と、
周壁１ａに孔４を有する箱体１内に送風機２、ヒーター３等を内蔵した本体６と、
天井パネル３２の開口部３３に挿入可能で前記本体６が挿入可能な大きさで、周壁１１に筒体取付用開口部１３を有する本体取付枠１０と、
前記筒体１４に設けられ、当該筒体１４を本体取付枠１０に取付ける取付板１５とを備え、
該取付板１５と前記本体取付枠１０の周壁１１に、両者を相対的に移動することで係合する係合部１６と被係合部１７を、その係合部１６と被係合部１７が係合することで取付板１５が筒体取付用開口部１３を閉塞するように仮取付けられるように設け、
前記本体取付枠１０に本体６を挿入して固定することで前記孔４に筒体１４が連通するように組立てられたことを特徴とする浴室換気乾燥機である。
【００１１】
第２の発明は、第１の発明において、前記係合部１６は前記取付板１５を切り起こしたフック２２であり、前記被係合部１７は、取付用枠体１０に形成された前記フック２２が係合するスリットであることを特徴とする浴室換気乾燥機である。
【００１７】
【作用】
第１の発明によれば、本体取付枠１０を天井パネル３２の開口部３３に挿入して取付けた後に本体６を本体取付枠１０内に挿入して固定することで孔４と筒１４が連通するから、送風機２、ヒータ３等を内蔵して大重量の本体６を本体取付枠１０内に挿入して取付ければ良い。
また、取付板１５を本体取付枠１０に取付けることでダクト３１に接続される筒体１４を本体取付枠１０に取付けできると共に、その取付板１５は係合部１６と被係合部１７を係合することで位置決めされて筒体取付用開口部１３を取付板１５で閉塞して仮取付けできるので、その取付板１５の取付けが簡単である。
【００３４】
【発明の実施の形態】
（浴室換気乾燥機の構造）
図１に示すように、箱体１内に送風機２、ヒータ３等を内蔵し、その箱体１の周壁１ａに排気口、吸気口となる複数の孔４を形成し、箱体１に取付用フランジ５を一体的に設けて浴室換気乾燥機の本体６としてある。この本体６にはグリル７が取付けられる。
【００３５】
前記本体６が挿入される本体取付枠１０は、本体６の箱体１と同一形状で若干大きな周壁１１と、この周壁１１の下端開口部に一体的に設けた取付用フランジ部１２を有し、その周壁１１における前記箱体１の孔４と対向する位置には上端開口縁に開口した上向きコ字状の筒体取付用開口部１３がそれぞれ形成してある。この筒体取付用開口部１３は上端開口縁に開口せずに矩形状としても良い。
【００３６】
本体取付枠１０に本体６を挿入すると各孔４と各筒体取付用開口部１３がそれぞれ連通する。
【００３７】
前記各筒体取付用開口部１３には排気用筒体、吸気用筒体となる筒体１４を備えた取付板１５がそれぞれ取付けられ、その取付板１５で筒体取付用開口部１３が閉塞される。この取付板１５は筒体取付用開口部１３よりも若干大きく、その取付板１５と周壁１１の筒体取付用開口部１３の近くには係合部１６と被係合部１７が相対向して形成してある。取付板１５と周壁１１の筒体取付用開口部１３の近くにおける係合部１６、被係合部１７と対角方向位置には孔１８がそれぞれ形成してある。
【００３８】
前記係合部１６は図２に示すように、クランク形状のプレート１９を取付板１５に固着して下向きの係止片１９ａとしてある。前記被係合部１７は図２に示すように係止片１９ａが係合する角孔２０としてある。この係合部１６と被係合部１７は相対的に上下方向に移動することで係合する形状となっている。
【００３９】
そして、取付板１５は係合部１６を被係合部１７に係合することで図３に示すように筒体取付用開口部１３を閉塞するように位置決めされて周壁１１に仮取付けられる。この状態で枠部１１の内部からネジ２１を枠部１１の孔１８から取付板１５の孔１８にネジ合して取付板１５を周壁１１に固定する。
【００４０】
（浴室換気乾燥機の第１の取付け方法）
図４に示すように、天井裏３０に排気用ダクト、吸気用ダクトとなる複数のダクト３１を天井パネル３２の開口部３３に対して位置決めしてそれぞれ配設する。前記各ダクト３１はスパイラルダクト又はスパイラルダクトの一部にフレキシブルダクトを接続したもので、その長手方向及び・上下・左右方向に若干変位可能としている。
【００４１】
各ダクト３１を配設した後に取付板１５を備えた筒体１４を各ダクト３１にそれぞれ接続し、その各取付板１５が開口部３３に対して所定の位置となるように位置決めする。
【００４２】
取付用枠体１０を、その各筒体取付用開口部１３を各取付板１５と対向するように位置合せし、その状態で取付用枠体１０を浴室内から開口部３３内に挿入する。これによって、各取付板１５の係合部１６と取付用枠体１０の被係合部１７が係合して取付板１５が位置決めされて取付用枠体１０に仮取付けされ、筒体取付用開口部１３が取付板１５で閉塞される。
【００４３】
この時、係合部１６と被係合部１７が係合しなければ取付用枠体１０の内部から手を入れて取付板１５を若干動かして係合させる。
【００４４】
図５に示すように、取付用枠体１０の取付用フランジ部１２を天井パネル３２の開口部３３の開口縁に固着具３４で固着して取付用枠体１０の天井パネル３２に取付ける。この後に、ネジ２１で取付用枠体１０の周壁１１と取付板１５を固定する。なお、取付板１５を接続する以前に取付用枠体１０を前述と同様にして取付けても良い。
【００４５】
本体６を取付用枠体１０内に挿入して孔４と筒体１４を連通し、その取付用フランジ５をビス８で天井パネル３２に図６に示すように固定する。最後にグリル７を本体６に取付ける。
【００４６】
（浴室換気乾燥機の第２の取付け方法）
天井裏３０に排気用ダクト、吸気用ダクトとなる複数のダクト３１を天井パネル３２の開口部３３に対して位置決めしてそれぞれ配設する。前記各ダクト３１はスパイラルダクト又はスパイラルダクトの一部にフレキシブルダクトを接続したもので、その長手方向及び・上下・左右方向に若干変位可能としている。
【００４７】
取付用枠体１０を、その各筒体取付用開口部１３を各ダクト３１と対向するように位置合せし、その状態で取付用枠体１０を浴室内から開口部３３内に挿入する。
【００４８】
取付用枠体内１０から取付板１５を備えた筒体１４を天井裏３０に入れ、その筒体１４をダクト３１に接続する。この時、筒体取付用開口部１３は取付用枠体１０上端開口縁に開口しているから、その筒体取付用開口部１３を通すことで天井が低くとも筒体１４を容易に天井裏３０に入れることができる。
【００４９】
この後、各取付板１５の係合部１６と取付用枠体１０の被係合部１７を係合して取付板１５を取付用枠体１０に仮取付けし、筒体取付用開口部１３を取付板１５で閉塞する。取付板１５をビス２１で固定する。
【００５０】
本体６を取付用枠体１０内に挿入し孔４と筒体１４を連通し、その取付用フランジ５をビス８で天井パネル３０に固定する。最後にグリル７を本体６に取付ける。なお、取付用枠体１０を天井パネル３０に固定してから取付板１５を取付けても良い。
【００５１】
（浴室換気乾燥機の第３の取付け方法）
天井裏３０に排気用ダクト、吸気用ダクトとなる複数のダクト３１を天井パネル３２の開口部３３に対して位置決めしてそれぞれ配設する。前記各ダクト３１はスパイラルダクト又はスパイラルダクトの一部にフレキシブルダクトを接続したもので、その長手方向及び・上下・左右方向に若干変位可能としている。
【００５２】
取付用枠体１０を、その各筒体取付用開口部１３を各ダクト３１と対向するように位置合せし、その状態で取付用枠体１０を浴室内から開口部３３内に挿入する。
【００５３】
取付用枠体内１０から取付板１５を備えた筒体１４を天井裏３０に入れ、その取付板１５の係合部１６と取付用枠体１０の被係合部１７を係合して取付板１５を取付用枠体１０に仮取付けし、取付板１５をビス２１で固定する。
【００５４】
この後に、各筒体１４とダクト３１をそれぞれ接続し、前述と同様にして取付用枠体１０を固定すると共に、グリル７を取付ける。
【００５５】
次に係合部１６と被係合部１７の他の例を説明する。
図７と図８に示すように、取付板１５の下部左右に一対の係合部１６を設け、取付用枠体１０の周壁１１における筒体取付用開口部１３の下部左右に一対の被係合部１７を形成する。
【００５６】
図９と図１０に示すように、取付板１５の対角位置に一対の係合部１６を設け、取付用枠体１０の周壁１１における筒体取付用開口部１３の対角位置に一対の被係合部１７を形成する。このようにすれば、対角位置に設けた一対の係合部１６の係止片１９ａによって取付板１５が周壁１１の外面に引き寄せ固定されるから、ネジ２１による固定を省略することが可能である。
【００５７】
図１１と図１２に示すように、取付板１５の四隅に係合部１６を設け、その下部一対の係合部１６は前述と同様にプレート１９で係止片１９ａとしてものであり、上部一対の係合部１６は取付板１５を切り起して形成したフック２２としてある。
【００５８】
取付用枠体１０の周壁１１における筒体取付用開口部１３の上下左右に被係合部１７を形成する。下左右の被係合部１７は角孔２０であり、上左右の被係合部１７はフック２２が係合する縦スリット２３としてある。
【００５９】
このようにすれば、取付板１５は４ケ所で周壁１１に固定されるから、ネジ２１による固定を省略することが可能である。
【００６０】
図１３と図１４に示すように、取付板１５の一端縁をＬ字状に折り曲げて一方の係合部１６とし、反対側の下部に他方の係合部１６を設ける。取付用枠体１０の周壁１１の取付用開口部１３の一側寄りに縦溝２４を形成して一方の被係合部１７とし、反対側に角孔２０を形成した他方の被係合部１７とする。
【００６１】
このようにすれば、折り曲げた一方の係合部１６と縦溝２４が上下方向にスライドしながら係合するので、ガイドの役目を果すので、係合し易い。
また、折り曲げた一方の係合部１６と縦溝２４の係合部で上下方向に連続して係止されるから、ネジ２１による固定を省略することが可能である。
【００６２】
図１５ないし図１７に示すように、取付板１５の左右一側端にＬ字片２５を一体的に設けて一方の係合部１６とし、その反対側下部にプレート１９を固着して他方の係合部１６とする。取付用枠体１０の周壁１１における取付用開口部１３の左右一側寄りに縦長孔２６を形成して一方の被係合部１７とし、その反対側に角孔２０を形成して他方の被係合部１７とする。
【００６３】
図１６に示すように、Ｌ字片２５を縦長孔２６に挿入して取付板１５を矢印方向に移動してＬ字片２５を係合させる。これによってプレート１９と角孔２０が合致する。この後に取付板１５を矢印方向に移動してプレート１９の係止片１９ａを角孔２０に係合する。
【００６４】
このようにすれば、取付板１５がＬ字片２５とプレート１９で強固に固定されるから、ネジ２１による固定を省略することが可能である。
【００６５】
以上の各実施の形態において、周壁１１の外面と取付板１５の取付部、周壁１１の内面と本体６の箱体１の孔４との間に空気洩れが生じる恐れがあれば、周壁１１の外面、内面や取付板１５、筒体１の周壁１ａに気密材を接着等で取付ければ良い。
【００６６】
【発明の効果】
請求項１に係る発明によれば、本体取付枠１０を天井パネル３２の開口部３３に挿入して取付けた後に本体６を本体取付枠１０内に挿入して固定することで孔４と筒１４が連通するから、送風機２、ヒータ３等を内蔵して大重量の本体６を本体取付枠１０内に挿入して取付ければ良い。
また、取付板１５を本体取付枠１０に取付けることでダクト３１に接続される筒体１４を本体取付枠１０に取付けできると共に、その取付板１５は係合部１６と被係合部１７を係合することで位置決めされて筒体取付用開口部１３を取付板１５で閉塞して仮取付けできるので、その取付板１５の取付けが簡単である。
これらが相俟って浴室換気乾燥機を天井パネル取付け後でダクト配設後に浴室内から簡単に取付けできる。
【図面の簡単な説明】
【図１】浴室換気乾燥機の分解斜視図である。
【図２】係合部と被係合部の分解した状態の斜視図である。
【図３】係合部と被係合部を係合した状態の斜視図である。
【図４】浴室換気乾燥機の取付け手順を示す斜視図である。
【図５】浴室換気乾燥機の取付け手順を示す斜視図である。
【図６】浴室換気乾燥機の取付け手順を示す斜視図である。
【図７】係合部と被係合部の第２の実施の形態を示す分解した状態の斜視図である。
【図８】係合した状態の斜視図である。
【図９】係合部と被係合部の第３の実施の形態を示す分解した状態の斜視図である。
【図１０】係合した状態の斜視図である。
【図１１】係合部と被係合部の第４の実施の形態を示す分解した状態の斜視図である。
【図１２】係合した状態の斜視図である。
【図１３】係合部と被係合部の第５の実施の形態を示す分解した状態の斜視図である。
【図１４】係合した状態の斜視図である。
【図１５】係合部と被係合部の第６の実施の形態を示す分解した状態の斜視図である。
【図１６】係合した状態の斜視図である。
【図１７】係合した状態の斜視図である。
【符号の説明】
１…箱体、１ａ…周壁、２…送風機、３…ヒータ、４…孔、６…本体、１０…本体取付枠、１１…周壁、１３…筒体取付用開口部、１４…筒体、１５…取付板、１６…係合部、１７…被係合部、１８…孔、１９…プレート、１９ａ…係止片、２０…角孔、２１…ネジ、２２…フック、２３…縦スリット、２４…縦溝、２５…Ｌ字片、２６…縦長孔、３０…天井裏、３１…ダクト、３２…天井パネル、３３…開口部。
【図１】
0003903293.tif 000002
【図２】
0003903293.tif 000003
【図３】
0003903293.tif 000004
【図４】
0003903293.tif 000005
【図５】
0003903293.tif 000006
【図６】
0003903293.tif 000007
【図７】
0003903293.tif 000008
【図８】
0003903293.tif 000009
【図９】
0003903293.tif 000010
【図１０】
0003903293.tif 000011
【図１１】
0003903293.tif 000012
【図１２】
0003903293.tif 000013
【図１３】
0003903293.tif 000014
【図１４】
0003903293.tif 000015
【図１５】
0003903293.tif 000016
【図１６】
0003903293.tif 000017
【図１７】
0003903293.tif 000018